(57)【特許請求の範囲】
【請求項１】
フレーム３に貯留庫４と洗浄部５と炊飯部６とを上側から順次配設した自動炊飯装置において、貯留庫４には洗浄部５のタンク１に米を所定量供給する給米体８を設け、洗浄部５には中空のタンク１と該タンク１の中央部に設けた撹拌装置９とタンク１の下端部に着脱自在に取り付けたジャケット１０の排米口１１を開閉する投下弁１２とを設け、該撹拌装置９はモータ１３にて駆動回転する撹拌軸１４に取付けた撹拌体１５にて構成し、ジャケット１０の中間部側壁には排水口２２を排水口開閉弁２４によって開閉すべく構成し、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１の内部で洗浄した米と水を排米口１１から炊飯部６の内釜２６に供給して炊飯を開始する設定と、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１の内部で洗浄した米と水を排米口１１から炊飯部６に供給し、再度、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１内の水を排米口１１から炊飯部６の内釜２６に供給して炊飯を開始する設定とに切換えれる構成とすると共に、前記撹拌体１５は横方向に軸芯を有する円形の棒体で形成し、その基部を撹拌軸１４に取付け、中間部を下方に折り曲げ、先端部をタンク１に沿うように折り曲げ、さらに、撹拌体１５のタンク１に沿うように折り曲げた下端部を他の部分に対して１．５倍前後の広幅に構成したことを特徴とする自動炊飯装置。
【発明の詳細な説明】
【０００１】
【発明の属する技術分野】
この発明は、米を炊飯する自動炊飯装置に関する。
【０００２】
【従来の技術】
タンクに給水し、撹拌体が回転してタンク内の水及び米を撹拌して洗浄し、その後、炊飯量に設定した炊飯用の水をタンクに供給するのが一般的である。
【０００３】
【発明が解決しようとする課題】
然し乍ら、おかゆを炊飯する場合には、通常の水よりも多く必要とするが、おかゆの量によっては給水量が不足し炊飯できない場合がある。
【０００４】
【課題を解決するための手段】
この発明は、このような課題を解決する自動炊飯装置を提供するものであって、つぎのような技術的手段を講じた。すなわち、フレーム３に貯留庫４と洗浄部５と炊飯部６とを上側から順次配設した自動炊飯装置において、貯留庫４には洗浄部５のタンク１に米を所定量供給する給米体８を設け、洗浄部５には中空のタンク１と該タンク１の中央部に設けた撹拌装置９とタンク１の下端部に着脱自在に取り付けたジャケット１０の排米口１１を開閉する投下弁１２とを設け、該撹拌装置９はモータ１３にて駆動回転する撹拌軸１４に取付けた撹拌体１５にて構成し、ジャケット１０の中間部側壁には排水口２２を排水口開閉弁２４によって開閉すべく構成し、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１の内部で洗浄した米と水を排米口１１から炊飯部６の内釜２６に供給して炊飯を開始する設定と、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１の内部で洗浄した米と水を排米口１１から炊飯部６に供給し、再度、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１内の水を排米口１１から炊飯部６の内釜２６に供給して炊飯を開始する設定とに切換えれる構成とすると共に、前記撹拌体１５は横方向に軸芯を有する円形の棒体で形成し、その基部を撹拌軸１４に取付け、中間部を下方に折り曲げ、先端部をタンク１に沿うように折り曲げ、さらに、撹拌体１５のタンク１に沿うように折り曲げた下端部を他の部分に対して１．５倍前後の広幅に構成した自動炊飯装置とする。
【０００５】
【発明の作用】
白飯を炊く場合、所望の炊飯量を設定すると、貯留庫４に貯留された米が給米体８により洗浄部５のタンク１に所定量供給される。そして、タンク１内に洗浄用の水が給水されて撹拌体１５にて洗浄される。その後、洗浄作業を終えると、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１の内部で洗浄した米と水を排米口１１から炊飯部６の内釜２６に供給して炊飯を開始する。そして、撹拌体１５のタンク１に沿うように折り曲げた下端部を他の部分に対して１．５倍前後の広幅に構成したので、撹拌力が大きくなり洗浄効果を高めることができる。また、排水口開閉弁２４によって排水口２２を閉じてオーバーフロー口２１からオーバーフローするまでタンク１内に給水し、所定時間排水口開閉弁２４を作動して排水口２２を開いて排水して炊飯用の水量を供給することができる。
おかゆを炊飯する場合、所望の炊飯量を設定すると、貯留庫４に貯留された米が給米体８により洗浄部５のタンク１に所定量供給される。そして、タンク１内に洗浄用の水が給水されて撹拌体１５にて洗浄される。その後、洗浄作業を終えると、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１の内部で洗浄した米と水を排米口１１から炊飯部６の内釜２６に供給し、再度、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１内の水を排米口１１から炊飯部６の内釜２６に供給して炊飯を開始する。このように、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１の内部で洗浄した米と水を排米口１１から炊飯部６の内釜２６に供給し、再度、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１内の水を排米口１１から炊飯部６の内釜２６に供給して炊飯するおかゆの全水量になる炊飯用の水をタンク１を介して炊飯部６の内釜２６に供給することができる。
【０００６】
【発明の効果】
白飯を炊く作業と多量のおかゆを一度に炊く作業とが設定の切換えにより行える。
特に、白飯を炊く場合には、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１の内部で洗浄した米と水を排米口１１から炊飯部６の内釜２６に供給して炊飯を開始でき、おかゆを炊飯する場合には、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１の内部で洗浄した米と水を排米口１１から炊飯部６の内釜２６に供給し、再度、排水口開閉弁２４によって排水口２２を閉じてオーバーフロー口２１からオーバーフローするまでタンク１内に給水し、所定時間排水口開閉弁２４を作動して排水口２２を開いて排水した後、排水口２２を閉じてタンク１内の水を排米口１１から炊飯部６の内釜２６に供給して炊飯を開始できる。
また、撹拌体１５のタンク１に沿うように折り曲げた下端部を他の部分に対して１．５倍前後の広幅に構成したので、撹拌力が大きくなり洗浄効果を高めることができる。
【０００７】
【発明の実施の形態】
以下、本発明の実施の形態を図面に基づいて具体的に説明する。まず、その構成について説明すると、自動炊飯装置２はフレーム３に貯留庫４と洗浄部５と炊飯部６とを上側から順次配設し、炊飯部６を前後方向に移動可能に設けている。
【０００８】
そして、この貯留庫４は上下両端を開口しかつ下端部を細く形成した中空のタンクであって、後述する洗浄用のタンク１とを連通する連通路に外面の一部に受け孔７を有し回転可能に設けている円筒形の給米体８とを備えている。洗浄部５は下部を細く形成し且つ平面視円形状の中空のタンク１と、該タンク１の中央部に設けた撹拌装置９と、タンク１の下端部に着脱自在に取り付けたジャケット１０の排米口１１を開閉する投下弁１２等を備えている。そして、該撹拌装置９はモータ１３を駆動源として回転可能に設け且つ縦方向に軸芯を有する中空の撹拌軸１４、該撹拌軸１４に取付けた撹拌体１５とを具備している。
【０００９】
撹拌体１５は、横方向に軸芯を有する円形の棒体で形成し、そして、その基部を撹拌軸１４に取付け、中間部を下方に折り曲げ、先端部をタンク１に沿うように折り曲げている。そして、撹拌体１５は撹拌軸１４の略４等配の位置に配置すると共に撹拌軸１４の軸芯から上部の横方向の軸端までの長さ及び下向きの長さを相違し、さらに、撹拌体１５のタンク１に沿うように折り曲げた下端部を他の部分の１．５倍前後太くあるいは広幅に設けている。これにより、撹拌力が大きくなり洗浄効果を高めることができる。
【００１０】
１６は貯留庫４を覆うケース１７の前壁に着脱自在に設けた操作パネルであって、炊飯条件を設定する各種のスイッチを配置したスイッチ部、釜数や炊飯作業状態などを表示する表示具を有する表示部を設けている。投下弁１２はモータ１８を駆動源とし撹拌軸１４の内部を昇降する弁軸１９の下端部に着脱自在に設けている。そして、該タンク１の上部には後部にオーバーフロー管２０によりジャケット１０と連通している矩形上のオーバーフロー口２１を設けている。
【００１１】
ジャケット１０の中間部側壁は排水口２２を設け、ソレノイド２３により作動する作動機構を介して開閉する排水口開閉弁２４を設けている。炊飯部６は外釜２５、外釜２５の内部に設けた加熱手段（図示せず）により加熱される内釜２６、内釜２６の上端開口部を開閉する蓋２７、横方向に往復移動する開閉アーム２８によりそれと同方向に移動して蓋２７の中央部に形成した円形の供給口２９を開閉する開閉蓋３０などで構成している。
【００１２】
そして、パッキン３１はシリコンでドーナツ型に形成し、外径を内釜２６の上端部の内径と略同径に設け、内径を蓋２７の外径より若干大きく設けている。なお、図示していないが、各機器の作動はマイクロコンピュータによって管理されている。つぎに、その作用について説明する。
【００１３】
まず、作業者は操作パネル１６のスイッチ部Ａの各種スイッチ及び炊飯量スイッチを操作して炊飯条件を設定した後、作業開始スイッチを入りにすると、マイクロコンピュータによりモータを起動して給米体８を駆動し貯留庫４に貯留している米を所定量供給する。つぎに、電磁弁（図示せず）へ「開」信号を出力し、また、モータ１３が起動するので、給水源から送られてきた水は管を通ってノズルＮからタンク内に散水すると共に撹拌軸１４は回転して水及び米を撹拌し洗浄する。この時、生じた汚水はタンク１からジャケット１０の排水口２２を通って機外に排出される。そして、洗浄作業を終えると、電磁弁が閉じて給水を停止すると共に、モータ１３の駆動が停止し撹拌作業を停止する。
【００１４】
タンク内の汚水が排水されると（時間で管理している）、電磁弁が開き、励磁したソレノイド２３が排水口開閉弁２４を移動して排水口２２を閉じるので、送られてきた水は管のノズルＮからタンク内に供給され、タンク１に水を貯留するが、所定時間になると、電磁弁を閉じて給水作業を終了する。そして、炊飯用の水をタンク１に貯留する水量、すなわち水加減を行う手段として、オーバーフロー口２１からオーバーフロー管２０を通ってオーバーフローするまで水を供給し、その後、所定時間、排水口２２を開いて排水する。
【００１５】
つぎに、モータ１８は駆動して弁軸１９及び投下弁１２を下降して排米口１１を開放する。すると、洗浄タンク１の米と水は落下して下方に位置する蓋２７の供給口２９を通って内釜２６に収容される。そして、開閉アーム２８が横方向に移動して開閉蓋３０を同方向に移動させ、蓋２７の供給口２９を閉じる。その後、炊飯を開始すると、所定時間後に白飯を炊きあげることができる。
【００１６】
おかゆを炊飯する場合には、上記と同様の方法で、洗浄後にタンク内におかゆ条件にあった炊飯用の水量を供給するが、炊飯量が多く、オーバーフロー口２１からオーバーフローする水量では不足する場合がある。このような場合は、まず、米とオーバーフロー口２１まで貯留している水とを上記と同様に排米口１１から排出して内釜２６に供給する。つぎに、排水口開閉弁２４を作動して排水口２２を閉じ、電磁弁を開いてオーバーフロー口２１からオーバーフローするまで、ノズルＮからタンク１に給水する。そして、所定時間、排水口開閉弁２４を作動して排水口２２を開いて排水した後、再び排水口開閉弁２４を作動して排水口２２を閉じる。
【００１７】
つづいて、モータ１８は駆動して弁軸１９及び投下弁１２を下降して排米口１１を開放するので、タンク内の水は排米口１１から供給口２９を通って内釜２６に収容される。従って、内釜２６には先に供給した水量とつづいて供給した水量とがおかゆに合った給水量となるので、多量のおかゆを一度に炊飯することができる。さらに、内釜２６と蓋２７との間はパッキン３１で略封鎖しているので、内釜２６と蓋２７との間から外釜２５の外方への吹きこぼれを防止でき、清掃を容易にする。
【図面の簡単な説明】
【図１】自動炊飯装置の正面図。
【図２】一部切除したタンクの側断面図。
【図３】炊飯器の平面図。
【符号の説明】
１    タンク
３  フレーム
４  貯留庫
５  洗浄部
６  炊飯部
８  給米体
９  撹拌装置
１０  ジャケット
１１  排米口
１２  投下弁
１３  モータ
１４  撹拌軸
１５  撹拌体
２１  オーバーフロー口
２２  排水口
２４  排水口開閉弁
【図１】
0003728904.tif 000002
【図２】
0003728904.tif 000003
【図３】
0003728904.tif 000004